(57)【要約】【課題】  自動販売機等のディスプレイにおいて、商品の３次元動画，背景動画，及び、不規則な動きをするキャラクタ、の３種類の構成要素に、所定の関連性を持たせつつ、制御・表示することで、商品自体の情報や、イメージを表示し、商品に対する購入者の興味をかき立て、商品に対する安心感を与える。【解決手段】  商品の立体画像情報格納部と、背景画像情報格納部と、キャラクタ画像情報格納部と、立体画像情報格納部、背景画像情報格納部、及び、キャラクタ画像情報格納部に格納された各画像情報の再生を制御する、画像再生制御部と、画像再生制御部によって再生された、立体画像情報格納部、背景画像情報格納部、及び、キャラクタ画像情報格納部から再生された画像を合成する画像合成部と、画像合成部によって合成された画像を表示するディスプレイと、を備える、画像表示装置。【選択図】図６
2014229188.tif 000002
【特許請求の範囲】
【請求項１】
商品の立体画像情報格納部と、
背景画像情報格納部と、
キャラクタ画像情報格納部と、
前記立体画像情報格納部、前記背景画像情報格納部、及び、前記キャラクタ画像情報格納部に格納された各画像情報の再生を制御する、画像再生制御部と、
前記画像再生制御部によって再生された、前記立体画像情報格納部、前記背景画像情報格納部、及び、前記キャラクタ画像情報格納部から再生された画像を合成する画像合成部
と、
前記画像合成部によって合成された画像を表示するディスプレイと、
を備える、画像表示装置。
【請求項２】
請求項１に記載の画像表示装置であって、
更に、前記ディスプレイ上のタッチ動作検出部を備え、
前記画像再生制御部が、当該タッチ動作検出部によって与えられた、タッチ動作の方向及び強さに応じて、前記商品の立体画像の回転表示の方向及び速度、
を制御する、
画像表示装置。
【請求項３】
請求項２に記載の画像表示装置であって、
さらに、前記画像再生制御部が、前記商品の立体画像の回転表示の方向および速度に応じて、背景画像の移動方向及び速度と、前記キャラクタの出現タイミングと移動軌跡と、を制御する、
画像表示装置。
【請求項４】
請求項１乃至３に記載の画像表示装置であって、
更に、購入候補の商品の指定を行うための商品の予備選択入力手段を備え、
前記予備選択入力手段に、所定の商品の予備選択が入力された場合に、前記ディスプレイ上に、当該商品に対応する、静止画情報を表示するように、前記画像再生制御手段に指示を与える、待機画面表示手段であって、当該静止画情報が、前記商品の立体画像情報格納部と、背景画像情報格納部と、キャラクタ画像情報格納部から選択された所定の静止画情報であるものと、
当該静止画情報表示後の所定時間内に、前記タッチ動作が前記ディスプレイ上で行われたかを判断する、タッチ動作検知手段と、
を更に備え、
前記所定時間内に前記タッチ動作が前記ディスプレイ上で行われた場合に、前記画像合成部によって合成された画像の表示を開始する、
画像表示装置。
【請求項５】
前記合成された画像の表示中に、前記タッチ動作検知手段で追加的なタッチを検出した場合に、以前のタッチ動作と、当該追加的タッチ動作の双方に依存した画像の表示を行うように、前記画像再生制御部に指示を与える、複合タッチ依存指示作成手段を更に備える、請求項４に記載の画像表示装置。
【発明の詳細な説明】
【技術分野】
【０００１】
本願は、画像表示装置に関し、特に、ディスプレイにより商品の回転動画及び背景動画を合成した動画を表示する画像表示装置に関する。
【背景技術】
【０００２】
特許文献１には、自動販売機に大型液晶ディスプレイとタッチパネルを装備することで、情報発信を行う電子広告看看板機能と、子供や車椅子の身障者に配慮して商品の表示位置を変える機能と、災害発生時の災害警報を表示する機能とを備えた自動販売機、が開示されている。
【０００３】
特許文献１の発明に係る自動販売機は、自動販売機のディスプレイに、宣伝広告を表示したり、購入者がディスプレイに手を触れて早く動かすことで、表示画面を回転させたり、跳ねたり、揺らせる等の画像を変形させる趣向や、ルーレットゲームを表示させる機能を有する。
【特許文献１】特開２０１１−１１８８０７号公報
【発明の概要】
【発明が解決しようとする課題】
【０００４】
しかし、特許文献１に係る自動販売機のディスプレイでは、商品自体の情報や、イメージを表示することはできなかった。
【０００５】
また、商品に関して、商品に対する購入者の興味をかき立てたり、商品を実際に手にとるような感覚で商品情報を得られるような映像的な工夫は見られない。
【０００６】
本願発明は、このような点について改良を加え、自動販売機等のディスプレイにおいて、商品の３次元動画，背景動画，及び、不規則な動きをするキャラクタ、の３種類の構成要素を、所定の関連性を持たせつつ、制御・表示することで、商品自体の情報や、イメージを表示し、商品に対する購入者の興味をかき立てるとともに、商品に対する安心感を与えることを目的とする。
【課題を解決するための手段】
【０００７】
このような目的を実現するために、本願は、その出願時の構成として以下のような各発明を提供する。
［発明１］
商品の立体画像情報格納部と、
背景画像情報格納部と、
キャラクタ画像情報格納部と、
前記立体画像情報格納部、前記背景画像情報格納部、及び、前記キャラクタ画像情報格納部に格納された各画像情報の再生を制御する、画像再生制御部と、
前記画像再生制御部によって再生された、前記立体画像情報格納部、前記背景画像情報格納部、及び、前記キャラクタ画像情報格納部から再生された画像を合成する画像合成部
と、
前記画像合成部によって合成された画像を表示するディスプレイと、
を備える、画像表示装置。
【０００８】
このように構成することによって、例えば、タッチパネル・ディスプレイを備えた自動販売機において、商品の画像、商品の内容、材料、栄養素、イメージや開発コンセプト等を反映した背景画像、及び、遊び心を誘い、看者の関心を惹起し、且つ、購買意欲を促進するキャラクタ画像を動的に表示することが可能になる。
【０００９】
上記各構成は、例えば、ＣＰＵ及びメモリ等を備えたコンピュータで実現可能である。
［発明２］
発明１に記載の画像表示装置であって、
更に、前記ディスプレイ上のタッチ動作検出部を備え、
前記画像再生制御部が、当該タッチ動作検出部によって与えられた、タッチ動作の方向及び強さに応じて、前記商品の立体画像の回転表示の方向及び速度、を制御する、
画像表示装置。
【００１０】
このように構成することにより、顧客がタッチパネルにタッチする態様に従って、直感的に、柔軟に、かつ、顧客が実際に商品を手に持って商品をみるような感覚で、商品の立体画像を操作、制御することが可能となる。
［発明３］
発明２に記載の画像表示装置であって、
更に、前記商品の立体画像の回転表示の方向及び速度に応じて、背景画像の移動方向及び速度と、前記キャラクタの出現タイミングと移動軌跡と、を制御する、
画像表示装置。
【００１１】
このように構成することによって、顧客がタッチパネルにタッチする態様に従って操作、制御した前記商品の立体画像の回転表示の方向及び速度に応じて、商品の画像、商品の内容、材料や栄養素、背景画像、及び、キャラクタ画像を動的に表示することが可能となる。
［発明４］
発明１乃至３に記載の画像表示装置であって、
更に、購入候補の商品の指定を行うための商品の予備選択入力手段を備え、
前記予備選択入力手段に、所定の商品の予備選択が入力された場合に、前記ディスプレイ上に、当該商品に対応する、静止画情報を表示するように、前記画像再生制御手段に指示を与える、待機画面表示手段であって、当該静止画情報が、前記商品の立体画像情報格納部と、背景画像情報格納部と、キャラクタ画像情報格納部から選択された所定の静止画情報であるものと、
当該静止画情報表示後の所定時間内に、前記タッチ動作が前記ディスプレイ上で行われたかを判断する、タッチ動作検知手段と、
を更に備え、
前記所定時間内に前記タッチ動作が前記ディスプレイ上で行われた場合に、前記画像合成部によって合成された画像の表示を開始する、
画像表示装置。
【００１２】
このように構成することによって、顧客が実際に商品の購入の最終判断を行う前の、「買おうかな？」と若干迷っている、予備的段階において、タッチパネルに触れることによって、購買意欲をそそる商品画像、背景画像、及び、キャラクタ画像の表示を行うことが可能となる。
［発明５］
前記合成された画像の表示中に、前記タッチ動作検知手段で追加的なタッチを検出した場合に、以前のタッチ動作と、当該追加的タッチ動作の双方に依存した画像の表示を行うように、前記画像再生制御部に指示を与える、複合タッチ依存指示作成手段を更に備える、発明４に記載の画像表示装置。
【００１３】
このように構成することによって、複数回のタッチ時毎に、異なった動画再生が楽しめ、顧客の遊び心を満足させ、次回以降の購買意欲を起こさせることが可能となる。
【００１４】
なお、以上の構成に加えて、
発明２から５のいずれかに記載の画像表示装置において、更に、背景画像非表示決定手段を備え、前記タッチ動作検出部によって、所定の回数だけ、又は、所定の回数以上タッチが検出された場合、当該背景画像非表示決定手段から前記画像合成部及び前記画像再生制御部に対して、前記背景画像格納部からの背景画像を表示せずに、商品画像とキャラクタ画像のみを表示する指示を与える、画像表示装置、等も、本願発明の範囲内に含まれる。
【００１５】
このように構成することによって、タッチの回数が所定の回数以上の場合は、背景画像の表示を停止し、商品画像と、キャラクタ画像のみの表示にして、購入希望者に、強烈な印象を与えることも可能である。（本来、商品画像、背景画像、及び、キャラクタ画像の３つがセットになっている、という想定に反して、思わぬ画像表現が現れるからである）。
【００１６】
また、キャラクタ画像を表示させずに、商品画像と背景画像のみを表示することも可能である。
【発明の効果】
【００１７】
本願発明により、自動販売機等のディスプレイにおいて、顧客の直感的で、かつ、柔軟な操作により、商品自体の情報や、イメージを動的に表示させることができることで、商品に対する顧客の興味をかき立てるとともに、商品に対する安心感を与えることが可能となる。
【図面の簡単な説明】
【００１８】
【図１】本願発明の一実施例に係る自動販売機101の外観を示す。
【図２】図１のタッチパネル・ディスプレイ103上の特定の商品画像が購入者によってタッチされた場合（商品の予備選択が為された場合）の表示画像201の例（「待機画面」と呼ぶ）を示す。
【図３】図２の表示状態において、購入者が、画面上をタッチする状態を示す。
【図４】キャラクタ401の例を示す。
【図５】本願発明の一実施例に係る、タッチパネル・ディスプレイを有する自動販売機のシステム構成図を示す。
【図６】図５の画像ディスプレイ部53を更に詳説したもの。
【図７】図６の画像再生制御部531ｅを更に詳細に説明するもの。
【図８】本願発明の一実施例の画像表示装置の動作を示す。
【図９】イメージ動画の詳細例及びバリエーションを示す。
【図１０】イメージ動画の詳細例及びバリエーションを示す。
【図１１】イメージ動画の詳細例及びバリエーションを示す。
【図１２】イメージ動画の詳細例及びバリエーションを示す。
【図１３】イメージ動画の詳細例及びバリエーションを示す。
【図１４】イメージ動画の詳細例及びバリエーションを示す。
【図１５】イメージ動画の詳細例及びバリエーションを示す。
【図１６】イメージ動画の詳細例及びバリエーションを示す。
【図１７】イメージ動画の詳細例及びバリエーションを示す。
【図１８】イメージ動画の詳細例及びバリエーションを示す。
【発明を実施するための形態】
【００１９】
図１は、本願発明の一実施例に係る自動販売機101の外観を示す。
【００２０】
通常の自動販売機と同様に、貨幣投入口（103ａ及び103ｂ）、並びに、商品取出し口105を備えている。
【００２１】
タッチパネル・ディスプレイ103には、現在の年月日時刻（104）が表示され、ディスプレイ中には、販売される商品の静止画107と価格108が表示されている。
【００２２】
図２は、図１のタッチパネル・ディスプレイ103上の特定の商品画像が購入者によってタッチされた場合（商品の予備選択が為された場合）の表示画像201の例（「待機画面」と呼ぶ）を示す。この画面中には、購入指示アイコン203ａ及び購入断念アイコン203ｂが表示される。
【００２３】
この図２の表示状態において、購入者が、画面上をタッチする状態が図３に示される。
【００２４】
図３の（１）に、指301でタッチパネル・ディスプレイ201上を、例えば右方向に擦る（Ｆ）例が示される。このようなタッチが為されると、図３の（２）に示されるように、例えば、画面中の商品画像303が、例えば左回転（Ａ）するとともに、背景画像305が左方向（Ｂ）に移動する。
【００２５】
なお、後述のように、商品画像303、背景画像305の動きにつれて、後に現れる画像中に、商品、背景とは別個に、図４に示されるようなキャラクタ401が現れることがある。
【００２６】
図５に、本願発明の一実施例に係る、タッチパネル・ディスプレイを有する自動販売機のシステム構成図を示す。
【００２７】
当該システムは、自動販売機の機能に係る自販機部51と、タッチパネル・ディスプレイに係る画像ディスプレイ部53に大別される。
【００２８】
自販機部51には、商品選択部511、商品格納部513、商品提供部515、及び、料金決済部517が含まれる。
【００２９】
商品選択部511は、購入者が最終的に一定の商品を購入する決定を行い、当該商品を選択したことを検出する機能を有する。
【００３０】
商品格納部513は、種々の商品を分別して格納する機能を有する。
【００３１】
商品提供部515は、商品選択部511によって購入が決定された商品を、商品格納部513から選別して、図１の商品取出し口105に排出する機能を有する。
【００３２】
料金決済部517は、図１の貨幣投入口（103ａ及び103ｂ）に投入された金額と、選択された商品の価格108を比較し、超過額をおつりとして排出する機能を有する。
【００３３】
画像ディスプレイ部53には、表示部531、商品予備選択入力手段533、タッチ動作検知手段535、待機画面表示手段527、タッチ依存指示作成手段539が含まれる。
【００３４】
表示部531は、図３や図４に示されるような画像を、所定の条件に従って表示する機能を有する。その詳細は図６及び図７を参照して後述する。
【００３５】
商品予備選択入力手段533は、図１の商品の静止画107がタッチされたことを検知する手段である。本願発明の一実施例では、このタッチのみでは、最終的な商品購入の決定とはされず、図２のように、タッチされた商品に関連する画像201が表示される。
【００３６】
タッチ動作検知手段535は、図３の指301によるタッチ動作（Ｆ）を検知する機能を有する。タッチの方向及びその強さ・速さも併せて検知する機能がある。
【００３７】
待機画面表示手段537は、図１の商品の静止画107がタッチされた場合に、図２の画面201を表示させる機能を有する。
【００３８】
タッチ依存指示作成手段539は、図３の（1）に示されるようなタッチが為され、同図（２）や、図４に示されるような画像表示が為されている最中に、追加的に、更にタッチが為された場合には、当該タッチの方向・強さ・速さに応じた画面を表示させる機能を有する。なお、別構成として、当該タッチと、それまでに為された１つ又は複数のタッチの履歴に応じて、当該タッチ後の画像表示を変更させることも可能である。例えば、右、右、左→ゆっくり左移動；右、左、左→早く左移動、等である。
【００３９】
自販機部51には制御部519が接続され、自販機部51全体の動作制御を司り、画像ディスプレイ部53には制御部541が接続され、自販機部53全体の動作制御を司る。
【００４０】
自販機部51の制御部519と、画像ディスプレイ部53の制御部541は、インターフェース57により接続される。
【００４１】
次に、図６を用いて、図５の画像ディスプレイ部53を更に詳説する（図６中の二重線の矢印は制御を、一重線の矢印はデータの流れを示す）。
【００４２】
図６の上半分には、表示部531の構成が示される。
【００４３】
表示部531は、商品立体画像情報格納部531ａ、背景画像格納部531ｂ、キャラクタ画像格納部531ｃ、画像合成部531ｄ、画像再生制御部531ｅ、ディスプレイ531ｆが含まれる。
【００４４】
商品立体画像情報格納部531ａは、例えば図３の（２）の中の商品画像303の立体画像情報を格納する。
【００４５】
背景画像格納部531ｂは、例えば図３の背景画像305を格納する。
【００４６】
キャラクタ画像格納部531ｃは、例えば図４のキャラクタ画像401を格納する。
【００４７】
これらの格納部には、再生される動画自体を格納しても良いし、商品の２次元的表面画像情報、背景画面の２次元的画像情報、キャラクタの表面の２次元的表面画像情報を格納して、後述の画像合成部531ｄによって３次元的画像に変換する構成にしても良い。
【００４８】
画像合成部531ｄは、上記各格納部（531ａ〜ｃ）に格納された画像情報を合成して、例えば、図３の（２）や図４に示されるような動画を生成する。
【００４９】
画像再生制御部531ｅは、上記各格納部（531ａ〜ｃ）、画像合成部（531ｄ）を制御して、例えば、図３の（２）や図４に示されるような動画を生成させる。
【００５０】
ディスプレイ531ｆは、画像合成部531ｄによって生成された画像を表示する機能を有する。
【００５１】
図６の下半分には、主に、画像再生制御部531ｅを制御するための構成が示されている。
【００５２】
タッチ動作検知手段535は、図２の201のような待機画面状態のときに、図３（1）のようなタッチが為されたことを検知し、画像再生制御部531ｅに通知。また、図３（２）や図４のような動画再生中に、同様なタッチが為された場合には、後述のタッチ依存指示作成手段539に通知する。
【００５３】
タッチ依存指示作成手段539は、上述の動画再生中のタッチがあったことを、タッチ動作検知手段535から通知されると、それ以降の再生動画の再生態様についての指示を、画像再生制御部531ｅに送る。この再生態様は、直近のタッチ（の方向・強さ・速さ）のみに基づいて再生態様を決定するものでも良いし、当該タッチと、それまでに為された１つ又は複数のタッチの履歴に応じて、当該タッチ後の画像表示を変更させることも可能である。例えば、右、右、左→ゆっくり左移動；右、左、左→早く左移動、等である。
【００５４】
商品予備選択入力手段533は、図１の商品の静止画107がタッチされたことを検知し、その事実を、待機画面表示手段537に通知する。
【００５５】
待機画面表示手段537は、上記通知を受けて、図２の画面201を表示させる機能を有する
なお、商品予備選択入力手段533によって予備的に為された商品選択が、最終的に購入決定に繋がった場合には、自販機部51の、商品選択部511にその旨が通知される。
【００５６】
図７は、図６の画像再生制御部531ｅを更に詳細に説明するものである。
【００５７】
画像再生制御部531ｅには、商品立体画像回転方向決定部701、商品立体画像回転方向決定部703、背景画像進行方向決定部705、背景画像進行速度決定部707、キャラクタ画像出現タイミング決定部709、キャラクタ画像軌跡決定部711が含まれる。
【００５８】
商品立体画像回転方向決定部701は、タッチ動作検知手段535によって検知したタッチの方向に従って、商品画像303の回転方向を決定する機能を持つ。なお、タッチの方向のみならず、強さ・速さにも基づいて回転方向を決定しても良い。
【００５９】
商品立体画像進行方向決定部703は、タッチ動作検知手段535によって検知したタッチの方向・強さ・速さに従って、商品画像303の進行方向（右／左）を決定する機能を持つ。
【００６０】
背景画像進行方向決定部705は、タッチ動作検知手段535によって検知したタッチの方向に従って、背景画像305の進行方向を決定する機能を持つ。なお、タッチの方向のみならず、強さ・速さにも基づいて進行方向を決定しても良い。
【００６１】
背景画像進行速度決定部707は、タッチ動作検知手段535によって検知したタッチの方向・強さ・速さに従って、背景画像305の進行方向（右／左）を決定する機能を持つ。
【００６２】
キャラクタ画像出現タイミング決定部709は、予め規定された所定のタイミングで、又は、タッチ動作検知手段535によって検知したタッチの方向・強さ・速さに従って、キャラクタ画像401の出現タイミングを決定する機能を持つ。
【００６３】
キャラクタ画像軌跡決定部711は、予め規定された軌跡で、又は、タッチ動作検知手段535によって検知したタッチの方向・強さ・速さに従って、キャラクタ画像401の軌跡を決定する機能を持つ。
【００６４】
図８のフローチャートは、以上説明した各構成要素の相互的関連を含めた、本願発明の一実施例の画像表示装置の動作を示す。
【００６５】
システムの動作が開始されると、Ｓ801において、商品群の画面表示が為される（図１の103）。
【００６６】
次に、Ｓ803で、商品予備選択入力手段533により商品の予備選択が為されたか、が判断される。
【００６７】
ＹＥＳであれば、Ｓ805に進み、選択商品に対応する待機画面201が表示される。
【００６８】
ＮＯであれば、Ｓ801に戻る。
【００６９】
次に、Ｓ805で待機画面201が表示されている間に、Ｓ807で、タッチ動作検知手段535によって、所定時間内にタッチ301が検知されたかが判断される。
【００７０】
ＹＥＳであれば、Ｓ809に進み、ＮＯであれば、後述のＳ815に進む。
【００７１】
Ｓ809では、画像合成部531ｄ及び画像再生制御部531ｅの協同により、予備選択された商品についてのイメージ動画（図３、図４）が再生される。このイメージ動画の詳細例及びバリエーションについては、図９以降を参照して後述する。
【００７２】
次に、Ｓ811で、タッチ動作検知手段535により、イメージ動画再生中に、更にタッチが検出されたか、が判断される。
【００７３】
ＹＥＳであれば、Ｓ813に進み、ＮＯであれば、Ｓ815に進む。
【００７４】
Ｓ813では、当該タッチに応じたイメージ画像の再生が行われる。なお、別構成として、当該タッチと、それまでに為された１つ又は複数のタッチの履歴に応じて、当該タッチ後の画像表示を変更させることも可能である。例えば、右、右、左→ゆっくり左移動；右、左、左→早く左移動、等である。更なる別構成として、タッチの回数が所定の回数以上の場合は、例えば、背景画像305の表示を停止し、商品画像303と、キャラクタ画像401のみの表示にして、購入希望者に、強烈な印象を与えることも可能である。（本来、商品画像303、背景画像305、及び、キャラクタ画像401の３つがセットになっている、という想定に反して、思わぬ画像表現が現れるからである）。
【００７５】
Ｓ815では、所定時間内に最終的な購入指示（図２の”203ａ”へのタッチ）を受けたか否かが判断される。
【００７６】
ＹＥＳであれば、Ｓ817に進み、ＮＯであれば、ＳＳ803に戻る。
【００７７】
Ｓ817では、購入が決定された商品の払い出しが為される。
【００７８】
次に、図９〜１８を参照して、Ｓ809又はＳ813における、イメージ画像の再生態様の例を示す。
【００７９】
図９の（１）は、図２、図３の（１）と同一である。この画面は、待機画面であり、この画面上を、右又は左にタッチ（図３の（１））することによって、図９（２）〜１４（１２）までの画面が連続的にディスプレイ201に表示される。
【００８０】
図９の（２）では、同図（１）に比して、商品903が、右方向に回転し、他方、背景905は、左に移動している。
【００８１】
図１０の（３）では、この傾向がさらに続く。
【００８２】
図１０の（４）で、キャラクタ画像1001が画面の右側に現れる。
【００８３】
引き続いて、図１１の（５）では、キャラクタ画像1101ａが、左に移動し、同図（６）では、更に左1011ｂに移動している。
【００８４】
図１２（７）では、一旦、キャラクタ画像は画面から消えるが、同図（８）では再び現れ、商品画像1203をついばむような仕草を見せる。
【００８５】
図１３の（１）では、商品画像1301を横切って飛翔する。そして、同図（１０）では、画面の右側へと消えて行く。
【００８６】
図１４の（１）では、商品画像と背景画像が回転、移動を続け、同図（１２）では、初期画面（図９の（１））と同じ状態となり、動画の再生が終了する。
【００８７】
以上の例では、キャラクタ画像は、商品画像や、背景画像とは独立に、不規則な動きをして、購入者の視覚にインパクトを与えている。
【００８８】
また、商品画像は、その位置自体は動かずに、本体の長軸を中心に回転している。一方、背景画像は、丁度、巻物をひも解くように、商品画像の回転と反対方向に移動している。
【００８９】
次に、図１５の（１）から図１８の（８）までを例にとって、別の表示態様を示す。
【００９０】
図１５の（１）は、既に、或る程度画面の再生が進んでいる場面である。ご注意頂きたいのは、商品画像と、キャラクタ画像の動きである。
【００９１】
1507がキャラクタ画像である。このキャラクタ画像は、図１６の（３）では、1607ａとして、商品画像に付随する値札にぶつかり、同図（４）では、急に、商品画像1603ｂから離れ、図１７の（５）では、急に商品画像に接近し、同図の（６）では、再び商品画像に接近し、図１８の（７）では、1807ａとして商品画像に重なり、同図の（８）では、1807ｂとして商品画像の下に移動する。
【００９２】
このように、この事例でも、キャラクタ画像は、商品画像や、背景画像とは独立に、不規則な動きをして、購入者の視覚にインパクトを与えている。
【００９３】
一方、この事例では、商品画像は、回転すると同時に、その位置自体が動く。背景画像は、その下部に、商品の内容、材料、栄養素、カロリー等の説明文を表示する。
【００９４】
このように、商品画像、背景画像、及び、キャラクタ画像の動きには、種々の態様が含まれる。
【００９５】
なお、本願発明の範囲は、以上の発明の実施形態によっては限定されない。
【産業上の利用可能性】
【００９６】
本願発明は、例えば、自動販売機の商品表示用ディスプレイに限らず、展示会の展示物用ディスプレイ等で広く利用することが可能である。
【符号の説明】
【００９７】
51  自販機部
53  画像ディスプレイ部
57  インターフェース
101  本願発明の一実施例に係る自動販売機
103  タッチパネル・ディスプレイ
103a  貨幣投入口
103b  貨幣投入口
104  現在の年月日時刻
105  商品取出し口
107  商品の静止画
108  商品の価格
201  待機画面
203a  購入指示アイコン
203b  購入断念アイコン
303  商品画像
305  背景画像
401  キャラクタ
511  商品選択部
513  商品格納部
515  商品提供部
517  料金決済部
519  制御部
531  表示部
531a  商品立体画像情報格納部
531b  背景画像格納部
531c  キャラクタ画像格納部
531d  画像合成部
531e  画像再生制御部
531f  ディスプレイ
533  商品予備選択入力手段
535  タッチ動作検知手段
537  待機画面表示手段
539  タッチ依存指示作成手段
541  制御部
701  商品立体画像回転方向決定部
703  商品立体画像回転方向決定部
705  背景画像進行方向決定部
707  背景画像進行速度決定部
709  キャラクタ画像出現タイミング決定部
711  キャラクタ画像軌跡決定部
【図１】
2014229188.tif 000003
【図２】
2014229188.tif 000004
【図３】
2014229188.tif 000005
【図４】
2014229188.tif 000006
【図５】
2014229188.tif 000007
【図６】
2014229188.tif 000008
【図７】
2014229188.tif 000009
【図８】
2014229188.tif 000010
【図９】
2014229188.tif 000011
【図１０】
2014229188.tif 000012
【図１１】
2014229188.tif 000013
【図１２】
2014229188.tif 000014
【図１３】
2014229188.tif 000015
【図１４】
2014229188.tif 000016
【図１５】
2014229188.tif 000017
【図１６】
2014229188.tif 000018
【図１７】
2014229188.tif 000019
【図１８】
2014229188.tif 000020
【手続補正書】
【提出日】平成25年6月20日(2013.6.20)
【手続補正１】
【補正対象書類名】図面
【補正対象項目名】全図
【補正方法】変更
【補正の内容】
【図１】
2014229188.tif 000021
【図２】
2014229188.tif 000022
【図３】
2014229188.tif 000023
【図４】
2014229188.tif 000024
【図５】
2014229188.tif 000025
【図６】
2014229188.tif 000026
【図７】
2014229188.tif 000027
【図８】
2014229188.tif 000028
【図９】
2014229188.tif 000029
【図１０】
2014229188.tif 000030
【図１１】
2014229188.tif 000031
【図１２】
2014229188.tif 000032
【図１３】
2014229188.tif 000033
【図１４】
2014229188.tif 000034
【図１５】
2014229188.tif 000035
【図１６】
2014229188.tif 000036
【図１７】
2014229188.tif 000037
【図１８】
2014229188.tif 000038